(57)【要約】【課題】タブ型の相手端子が抜けにくい構造の電気端子を提供する。【解決手段】略方形の基板部５１と、基板部５１の縁部両側に連続し略直角に延びる一対の連結部５２と、各連結部５２の端に略直角に連続し基板部５１と略平行となって延びる一対の対向部５３と、各対向部５３の端部を折り返すようにして形成された一対のカール部５４と、一対のカール部５４を架橋するように各カール部５４に連続し、連結部５２に向かって基板部５１から離れる方向で斜めに延びる挿入ガイド片５５と、挿入ガイド片５５の縁部に設けられ、一対のカール部５４の間から連結部５２と反対の方向で基板部５１に近接するように斜めに延びる係合片５６とを備えている。一対の連結部５２の間から相手端子１１を受け入れて、基板部５１と係合片５６で相手端子を挟むようにした。【選択図】  図１
2004152594.tif 000002
【特許請求の範囲】
【請求項１】
タブ型の相手端子（１１）と電気的に係合する電気端子（５）であって、
略方形の基板部（５１）と、
基板部（５１）の縁部両側に連続し略直角に延びる一対の連結部（５２）と、
各連結部（５２）の端に略直角に連続し基板部（５１）と略平行となって延びる一対の対向部（５３）と、
各対向部（５３）の端部を折り返すようにして形成された一対のカール部（５４）と、
一対のカール部（５４）を架橋するように各カール部（５４）に連続し、前記連結部（５２）に向かって基板部（５１）から離れる方向で斜めに延びる挿入ガイド片（５５）と、
挿入ガイド片（５５）の縁部に設けられ、前記一対のカール部（５４）の間から前記連結部（５２）と反対の方向で基板部（５１）に近接するように斜めに延びる係合片（５６）とを備えており、
前記一対の連結部（５２）の間から前記相手端子（１１）を受け入れて、前記基板部（５１）と係合片（５６）で相手端子（１１）を挟むようにしたを特徴とする電気端子。
【請求項２】
前記係合片（５６）は、前記挿入ガイド片（５５）の縁部に、前記カール部（５４）の縁を延長するように切込み（５８）を入れて形成され、基板部（５１）側に突き出されている請求項１に記載の電気端子。
【請求項３】
前記係合片（５６）は、端縁の基板部（５１）側の稜が、略直角のエッジ（５６１）に形成されている請求項１または２に記載の電気端子。
【請求項４】
前記基板部（５１）は、略中央に対向部（５３）側に突出する突き出し部（５９）が設けられている請求項１に記載の電気端子。
【請求項５】
前記突き出し部（５９）の表面（５９１）は、平坦面に形成されている請求項４に記載の電気端子。
【請求項６】
一対のタブ型のヒューズテール（１１）を備えたヒューズ（１）を受け入れるヒューズソケット（７）に設置され、前記ヒューズテール（１１）と電気的に係合するヒューズソケット用の電気端子（５）であって、
略方形の基板部（５１）と、
基板部（５１）の縁部両側に連続し略直角に延びる一対の連結部（５２）と、
各連結部（５２）の端に略直角に連続し基板部（５１）と略平行となって延びる一対の対向部（５３）と、
各対向部（５３）の端部を折り返すようにして形成された一対のカール部（５４）と、
一対のカール部（５４）を架橋するように各カール部（５４）に連続し、前記連結部（５２）に向かって基板部（５１）から離れる方向で斜めに延びる挿入ガイド片（５５）と、
挿入ガイド片（５５）の縁部に設けられ、前記一対のカール部（５４）の間から前記連結部（５２）と反対の方向で基板部（５１）に近接するように斜めに延びる係合片（５６）とを備えており、
前記一対の連結部（５２）の間から、前記ヒューズテール（１１）を受け入れて、前記基板部（５１）と係合片（５６）でヒューズテール（１１）を挟むようにしたを特徴とするヒューズソケット用の電気端子。
【請求項７】
前記係合片（５６）は、前記挿入ガイド片（５５）の縁部に、前記カール部（５４）の縁を延長するように切込み（５８）を入れて形成され、基板部（５１）側に突き出されている請求項６に記載のヒューズソケット用の電気端子。
【請求項８】
前記係合片（５６）は、端縁の基板部（５１）側の稜が、略直角のエッジ（５６１）に形成されている請求項６または７に記載のヒューズソケット用の電気端子。
【請求項９】
前記基板部（５１）は、略中央に対向部（５３）側に突出する突き出し部（５９）が設けられている請求項６に記載のヒューズソケット用の電気端子。
【請求項１０】
前記突き出し部（５９）の表面（５９１）は、平坦面に形成されている請求項９に記載のヒューズソケット用の電気端子。
【請求項１１】
前記基板部（５１）は、前記連結部（５２）が連続した縁部に隣接する縁部に、ヒューズソケット（７）を構成するソケットハウジング（７１）と係合する係合突起（６０）が設けられている請求項６に記載のヒューズソケット用の電気端子。
【請求項１２】
前記基板部（５１）は、前記連結部（５２）が連続した縁部と対向する縁部に、回路基板（８）と接続可能のテール部（６１）が設けられている請求項６に記載のヒューズソケット用の電気端子。
【発明の詳細な説明】
【０００１】
【発明の属する技術分野】
この発明は、一対のタブ型のヒューズテールを備えたヒューズを受け入れるヒューズソケットに設置され、前記ヒューズテールを挟んで電気的に係合するヒューズソケット用の電気端子の如くの電気端子に関する。
【０００２】
【従来の技術】
図１６に示したような、タブ型の端子で構成されるヒューズテール１１を一対備えたヒューズ１がある。このようなヒューズ１との電気的な接続は、図のような電気端子２を介して行われている（例えば、実用新案登録第２５７０６０７号、同第２５７３６７７号、同第２６００９９２号等参照）。この電気端子２は、ばね性を有する薄金属板を打ち抜いて図示のように成形されており、弧状に湾曲させた一対のコンタクト片２１を対向させたボックス状の係合部２２と、ワイヤバレル２３とインシュレーションバレル２４を連設した接続部２５とを有している。前記ヒューズテール１１は、係合部２２のコンタクト片２１間に挿入され、ヒューズテール１１の平坦面（表裏面）と各コンタクト片２１の弧状の突出部が一定の圧力で接触するようにしている。
【０００３】
前記ヒューズテールのようなタブ型の端子１１と接続する電気端子には、図１７のような電気端子３も知られている（例えば、実用新案登録第２５４３５６１号、同第２６０２６９２号等参照）。この電気端子３の場合、略方形の基板部３１の両側に弾性カール片３２が設けられ、各弾性カール片３２に基板部３１と対向するコンタクト片３３が連続して設けられている。端子１１を基板部３１とコンタクト片３３の間に挿入すると、端子１１は弾性カール片３２の弾力で挟まれて、端子１１の表裏面とコンタクト片３３および基板部３１に形成した突条３４が一定の圧力で接触するようにしている。
【０００４】
【発明が解決しようとする課題】
このように、タブ型の相手端子を挟んで電気的に係合する従来の電気端子は、挿入された相手端子を抜けにくくする構造を備えていないものであった。このため、挿入された相手端子を抜けにくくするには、前記コンタクト片２１や弾性カール片３２の弾力を強くする必要があり、そうすると、ヒューズテール１１などの相手端子を電気端子２、３に挿入する際に大きな挿入力を必要とする問題に直面していた。
【０００５】
また、図１６、１７で示した電気端子２、３は、これを展開したときの幅（電気端子の長手方向と直交する方向）が比較的大きいので、複数個の電気端子を並列させて一枚の薄金属板から打ち抜いて成形する場合、並列する電気端子のピッチが比較的大きくならざるを得なかった。すなわち、図１６で示したヒューズ１を受け入れるヒューズソケットを製造する場合、一対の電気端子をソケットハウジングに一括して挿入できるようにすることが望ましいが、ヒューズテール１１のピッチＰ（例えば、８．１ｍｍ）に合わせて図示の如くの電気端子を並列させて打ち抜き成形することは困難であった。
【０００６】
この発明は以上のような問題点に鑑みてなされたもので、タブ型の相手端子が抜けにくい構造の電気端子を提供することを基本的な目的としている。
また、比較的狭い並列ピッチで打ち抜き成形できる構造のヒューズソケット用の電気端子を提供することを他の目的としている。
【０００７】
【課題を解決するための手段】
相手端子が抜けにくくしたこの発明の電気端子は、タブ型の相手端子と電気的に係合する電気端子であって、
略方形の基板部と、
基板部の縁部両側に連続し略直角に延びる一対の連結部と、
各連結部の端に略直角に連続し基板部と略平行となって延びる一対の対向部と、各対向部の端部を折り返すようにして形成された一対のカール部と、
一対のカール部を架橋するように各カール部に連続し、前記連結部に向かって基板部から離れる方向で斜めに延びる挿入ガイド片と、
挿入ガイド片の縁部に設けられ、前記一対のカール部の間から前記連結部と反対の方向で基板部に近接するように斜めに延びる係合片とを備えており、
前記一対の連結部の間から前記相手端子を受け入れて、前記基板部と係合片で相手端子を挟むようにしたことを特徴とする電気端子である。
【０００８】
また、比較的狭い並列ピッチで打ち抜き成形できるようにしたこの発明のヒューズソケット用の電気端子は、一対のタブ型のヒューズテールを備えたヒューズを受け入れるヒューズソケットに設置され、前記ヒューズテールと電気的に係合するヒューズソケット用の電気端子であって、
略方形の基板部と、
基板部の縁部両側に連続し略直角に延びる一対の連結部と、
各連結部の端に略直角に連続し基板部と略平行となって延びる一対の対向部と、各対向部の端部を折り返すようにして形成された一対のカール部と、
一対のカール部を架橋するように各カール部に連続し、前記連結部に向かって基板部から離れる方向で斜めに延びる挿入ガイド片と、
挿入ガイド片の縁部に設けられ、前記一対のカール部の間から前記連結部と反対の方向で基板部に近接するように斜めに延びる係合片とを備えており、
前記一対の連結部の間から前記ヒューズテールを受け入れて、前記基板部と係合片でヒューズテールを挟むようにしたことを特徴とするヒューズソケット用の電気端子である。
【０００９】
【作用】
このように構成されるこの発明の電気端子によれば、基板部と係合片の間に挟んだヒューズテールなどのタブ型の相手端子を引き抜こうとすると、基板部に近接するように斜めに延びている係合片が相手端子に食い込むようになるので、相手端子を抜けにくくすることができる。
【００１０】
また、この電気端子を展開した場合、基板部に対して連結部、対向部、カール部、挿入ガイド片および係合片を長手方向に順次連続させた形状にできるので、幅方向への広がりがなく、複数の電気端子を比較的小さいピッチで並列させて打ち抜き成形することができる。
【００１１】
【発明の実施の形態】
以下、この発明の実施の形態を添付の図を参照して詳細に説明する。
【００１２】
図１−図７は、実施形態の電気端子５を表しており、図１はタブ型の相手端子１１と共に示している。この電気端子５も、ばね性を有する薄金属板を打ち抜いて図示のような形状に成形されたものである。電気端子５は、略方形の基板部５１と、基板部５１の縁部両側に連続し略直角に延びる一対の短冊状の連結部５２と、各連結部５２の端に略直角に連続し基板部５１と略平行となって延びる一対の帯板状の対向部５３と、各対向部５３の端部を折り返すようにして形成された一対のカール部５４と、一対のカール部５４を架橋するように各カール部５４の端部に連続し、前記連結部５２に向かって基板部５１から離れる方向で斜めに延びる略方形の挿入ガイド片５５と、挿入ガイド片５５の縁部に設けられ、前記一対のカール部５４の間から前記連結部５２と反対の方向で基板部５１に近接するように斜めに延びる、これも略方形の係合片５６とを備えている。
【００１３】
前記連結部５２の基板部５１側の基部内側縁は、それぞれＵ字状にえぐられて、相手端子１１を挿入できるようにした挿入口５７が形成されている。前記挿入ガイド片５５がこの挿入口５７に臨んでいる。また、前記係合片５６は、挿入ガイド片５５内に形成されているもので、図７に示されているように、カール部５４の縁を延長するように切り込み５８が挿入ガイド片５５の中に形成されて、切り込み５８に挟まれた部分が図５、６に示されているように基板部５１側に突き出されて形成されている。この係合片５６の端縁の基板部５１側の稜は、薄金属板を打ち抜いた状態そのままで、略直角のエッジ５６１とされている。
【００１４】
前記基板部５１は、中央部分に表面５９１を平坦面とした略方形の突き出し部５９が形成されて、挿入口５７から挿入された相手端子１１の一方の面が挿入口５７の縁と干渉することなく平坦面とした表面５９１に当接できるようにしてある。また、基板部５１の両側縁には、後で説明するヒューズソケット７を構成するソケットハウジング７１の端子受入空洞７３と係合できるようにした係合突起６０が形成されており、また、基板部５１の連結部５２が連続した縁と対向する縁の中央に、回路基板と接続可能の半田テール６１が設けられている。
【００１５】
このように、実施形態の電気端子５は、ヒューズソケット７用とした電気端子であり、図８−１１にはそのヒューズソケット７が示され、そして、図１２には図１６で説明したものと同様のヒューズ１が示されている。ヒューズソケット７は、図１０に最もよく表れているように、絶縁性のプラスチックで成形されたソケットハウジング７１と、前記電気端子５とで構成されている。ソケットハウジング７１には、ヒューズ１を受け入れるヒューズ収容部７２が上部に形成され、下部には電気端子５を装着できるようにした端子受入空洞７３が図８において左右方向で一対形成されている。端子受入空洞７３はソケットハウジング７１の底部（図１０中、回路基板８と向き合う部分）で開口しており、電気端子５がソケットハウジング７１の底部側から装着できるようにされている。また、一対の端子受入空洞７３の間には、取付ペグ７４が底面から突出するように設けられている。
【００１６】
ソケットハウジング７１に形成された一対の端子受入空洞７３のピッチは、図１２に示したヒューズ１のヒューズテール１１のピッチＰと合致させてあるもので、前記ヒューズ収容部７２と端子受入空洞７３を仕切っている仕切り壁７５には、ヒューズテール１１を挿通できるようにした挿入開口７６が形成されている。ヒューズ収容部７２にヒューズ１を装着すると、各ヒューズテール１１が挿入開口７６を通して電気端子５の挿入口５７に進入し、さらに、基板部５１と係合片５６の間に進入して、ヒューズテール１１と電気端子５が電気的に係合するようになっている。
【００１７】
このヒューズソケット７の場合、各図に示したように回路基板８に搭載することで、ヒューズ１と回路基板８内の回路が接続できるようになっている。回路基板８に搭載されたヒューズソケット７は、取付ペグ７４を回路基板８に係合させ、電気端子５の半田テール６１を回路基板８に設けられた導電部に半田付けする。
【００１８】
ヒューズ１のヒューズテール１１と電気端子５の係合状態が図１０、１１に示されている。前記挿入開口７６を通して、電気端子５の挿入口５７から挿入されたヒューズテール１１は、挿入ガイド片５５でガイドされて挿入ガイド片５５と基板部５１の間に進み、対向部５３の弾力に抗して基板部５１に形成された突き出し部５９の表面５９１と係合片５６の対向部分を押し広げながら進入し、そして、対向部５３の弾力で表面５９１と係合片５６の間にヒューズテール１１を一定の圧力で挟み電気的に係合する。挿入したヒューズテール１１の、図１１の矢示Ｑの方向、すなわち、引き抜き方向の移動は、係合片５６が引き抜き方向と反対の方向で斜めに延びているので、係合片５６がヒューズテール１１の表面に食い込むように作用し、引き抜き方向の移動をしにくくすることができる。ヒューズ１の装着がしやすく、しかも、引き抜きにくいヒューズソケット７とすることができる。
【００１９】
特に、この実施形態では、係合片５６の、ヒューズテール１１と対向している稜を、略直角のエッジ５６１としたので、ヒューズテール１１の表面に対する食い込み係止を確実にし、引き抜きにくい構造の優れたヒューズソケット７を構成することができる。
【００２０】
図１３−図１５では、この実施形態の電気端子５の打ち抜き成形の様子と、ソケットハウジング７１への装着の様子が示されている。電気端子５は、図１３に示したように、基板部５１の縁部に、連結部５２、対向部５３、カール部５４、挿入ガイド片５５および係合片５６を、電気端子５の長手方向で順次連続させて薄金属板から打ち抜き、これを図１−図６に示した如くの形状に成形することができる。このように、この電気端子５は、これを展開した場合の幅方向への広がりは無いので、図１４のように、キャリア９に比較的小さいピッチＰで並列させて打ち抜き成形することが可能である。この並列ピッチＰを図１２のヒューズ１のヒューズテール１１のピッチＰと合致させることで、図１５のように、一対の電気端子５をソケットハウジング７１に一括して装着することを可能にできる。
【００２１】
【発明の効果】
以上に説明したように、この発明の電気端子は、基板部と係合片で相手端子を一定の圧力で挟み、相手端子を引き抜こうとすると係合片が相手端子に食い込むようにしたので、相手端子の挿入がしやすく、しかも引き抜きにくい電気端子を提供することができる。また、比較的小さい並列ピッチで打ち抜き成形できる構造であるので、ヒューズソケットを構成するソケットハウジングなどに一括して装着できる電気端子を提供することができる。
【図面の簡単な説明】
【図１】この発明の実施形態の電気端子の斜視図である。
【図２】同じく実施形態の電気端子の正面図である。
【図３】同じく実施形態の電気端子の側面図である。
【図４】同じく実施形態の電気端子の平面図である。
【図５】図２のＡ−Ａ線に沿って示した断面図である。
【図６】図５の一部拡大断面図である。
【図７】図３のＢ−Ｂ線に沿って示した断面図である。
【図８】この発明の実施形態の電気端子を用いたヒューズソケットの正面図である。
【図９】同じくヒューズソケットの側面図である。
【図１０】図８のＣ−Ｃ線に沿って示した断面図である。
【図１１】図１０の一部拡大断面図である。
【図１２】ヒューズの正面図である。
【図１３】この発明の実施形態の電気端子を薄金属板から打ち抜いた状態の平面図である。
【図１４】打ち抜いた薄金属板を成形して電気端子を構成した状態の平面図である。
【図１５】ヒューズソケットを構成するソケットホルダに電気端子を装着する様子を説明する図である。
【図１６】従来の電気端子の一例を表す斜視図である。
【図１７】従来の他の電気端子を表す一部を切除した斜視図である。
【符号の説明】
１          ヒューズ
１１          ヒューズテール（相手端子）
２          電気端子
２１          コンタクト片
２２          係合部
２３          ワイヤバレル
２４          インシュレーションバレル
２５          接続部
３          電気端子
３１          基板部
３２          弾性カール部
３３          コンタクト片
３４          突条
５          電気端子
５１          基板部
５２          連結部
５３          対向部
５４          カール部
５５          挿入ガイド片
５６          係合片
５６１        エッジ
５７          挿入口
５８          切り込み
５９          突き出し部
５９１        表面
６０          係合突起
６１          半田テール
７          ヒューズソケット
７１          ソケットハウジング
７２          ヒューズ収容部
７３          端子受入空洞
７４          取付ペグ
７５          仕切り壁
７６          挿入開口
８          回路基板
９          キャリア
【図１】
2004152594.tif 000003
【図２】
2004152594.tif 000004
【図３】
2004152594.tif 000005
【図４】
2004152594.tif 000006
【図５】
2004152594.tif 000007
【図６】
2004152594.tif 000008
【図７】
2004152594.tif 000009
【図８】
2004152594.tif 000010
【図９】
2004152594.tif 000011
【図１０】
2004152594.tif 000012
【図１１】
2004152594.tif 000013
【図１２】
2004152594.tif 000014
【図１３】
2004152594.tif 000015
【図１４】
2004152594.tif 000016
【図１５】
2004152594.tif 000017
【図１６】
2004152594.tif 000018
【図１７】
2004152594.tif 000019